(57)【要約】      （修正有）【課題】傘に無理な負担をかけない構造で、ファッション的に優れた外観を有し、消費者に対して購買意欲をわかせて産業の発達に寄与することができる傘骨構造を提供する。【解決手段】複数の親骨１４４ａ，１４４ｂで形成される傘骨構造において、所定の親骨の長さが他の所定の親骨の長さと異なり、前記複数の親骨に生地を張り、該親骨に張った生地によって形状を変化させるものであって、前記生地は、前記親骨と隣接する親骨との間に張られたとき、該親骨の長さ方向には伸縮せず、該親骨の長さ方向以外の方向には伸縮可能なものであることを特徴とする。【選択図】図３２
0003165972.tif 000002
【実用新案登録請求の範囲】
【請求項１】
複数の親骨で形成される傘骨構造において、
所定の親骨の長さが他の所定の親骨の長さと異なり、
前記複数の親骨に生地を張り、該親骨に張った生地によって形状を変化させるものであって、
前記生地は、前記親骨と隣接する親骨との間に張られたとき、該親骨の長さ方向には伸縮せず、該親骨の長さ方向以外の方向には伸縮可能なものである
ことを特徴とする傘骨構造。
【請求項２】
前記複数の親骨が一端を上ロクロに接続され、前記親骨の前記上ロクロへの接続位置での、所定の親骨の可動範囲が他の所定の親骨の可動範囲よりも上下方向で広い
ことを特徴とする請求項１に記載の傘骨構造。
【請求項３】
前記複数の親骨のそれぞれと下ロクロとを接続する複数の受骨において、所定の受骨の長さが他の所定の受骨の長さと異なり、
長さの異なる複数の親骨のうち、長い親骨には長い受骨を接続し、短い親骨には短い受骨を接続する
ことを特徴とする請求項１または２に記載の傘骨構造。
【考案の詳細な説明】
【技術分野】
【０００１】
本考案は傘骨構造に関し、詳しくは、親骨および親骨に張られた生地によって形成される形状に特徴を有する傘骨構造に関する。
【背景技術】
【０００２】
従来から、日傘や雨傘として、雨よけの生地に様々なデザインが描かれたものが提供されている。また、傘の形状としても長傘や折りたたみ傘など、雨よけとしての機能を優先したものや、携帯のし易さを優先したものなど、様々なものが提供されている。
【０００３】
特許文献１には、従来の洋傘において、たとえば強風などの外力を受けたときに、中棒を軸に傘が回転することによって衝撃を緩和吸収し、傘が破損してしまうことを避けることができるようにした発明が開示されている。
【先行技術文献】
【特許文献】
【０００４】
【特許文献１】特開２００３−１５３７１７号公報
【考案の概要】
【考案が解決しようとする課題】
【０００５】
ところが、従来の傘においては以下のような問題があった。
【０００６】
すなわち、従来は、中棒を軸として円形に生地が張られ、その生地には様々なデザインが描かれてはいるものの、その形状はありきたりのものしかなく、デザイン的に平凡であり、ファッション的な観点からも劣り、消費者の購買意欲をわかせることができないものであった。この点は、特許文献１に記載の傘であっても同様であり、傘の形状に消費者の購買意欲をわかせるような工夫はない。
【０００７】
このような状況に際して、単純にいろいろな形状の傘を作ろうとしても、所望の形状を作り出すことは難しく、従来、なされていなかったのが現状である。
【０００８】
本考案は上記の点にかんがみてなされたもので、傘に無理な負担をかけない構造で、ファッション的に優れた外観を有し、消費者に対して購買意欲をわかせて産業の発達に寄与することができる傘骨構造を提供することを目的とする。
【課題を解決するための手段】
【０００９】
本考案は上記の目的を達成するために、複数の親骨で形成される傘骨構造において、所定の親骨の長さが他の所定の親骨の長さと異なり、前記複数の親骨に生地を張り、該親骨に張った生地によって形状を変化させるものであって、前記生地は、前記親骨と隣接する親骨との間に張られたとき、該親骨の長さ方向には伸縮せず、該親骨の長さ方向以外の方向には伸縮可能なものであることを特徴とする。
【００１０】
また、本考案は、前記複数の親骨が一端を上ロクロに接続され、前記親骨の前記上ロクロへの接続位置での、所定の親骨の可動範囲が他の所定の親骨の可動範囲よりも上下方向で広いことを特徴とする。
【００１１】
また、本考案は、前記複数の親骨のそれぞれと下ロクロとを接続する複数の受骨において、所定の受骨の長さが他の所定の受骨の長さと異なり、長さの異なる複数の親骨のうち、長い親骨には長い受骨を接続し、短い親骨には短い受骨を接続することを特徴とする。
【考案の効果】
【００１２】
本考案によれば、傘に無理な負担をかけない構造で、ファッション的に優れた外観を有し、消費者に対して購買意欲をわかせて産業の発達に寄与することができる傘を提供することができる。
【図面の簡単な説明】
【００１３】
【図１】本考案による傘の一実施の形態の外観を示す斜視図である。
【図２】図１に示した傘１を手元９の方向から見た底面図である。
【図３】本考案による傘の、図１とは別の実施の形態の外観を示す斜視図である。
【図４】図３に示した傘１１の受骨２０ｄの構造を説明する図であって、受骨２０ｄの周辺を拡大して示す側面図であり、（ａ）は傘１１を閉じた状態での受骨２０ｄの周辺を示す側面図であり、（ｂ）は傘１１開いた状態での受骨２０ｄの周辺を示す側面図である。
【図５】本考案による傘の、図１および図３とは別の実施の形態の外観を示す斜視図である。
【図６】図５に示した傘３１の上ロクロ３３の構造を説明する図であって上ロクロ３３の周辺を拡大して示す図であり、（ａ）は上ロクロ３３の周辺を石突３２の方向から見た平面図であり、（ｂ）は傘３１を開いた状態で上ロクロ３３の周辺を示す側面図である。
【図７】図５に示した傘３１の下ロクロ４１の構造を説明する図であって下ロクロ４１の周辺を拡大して示す図であり、（ａ）は下ロクロ４１の周辺を石突３２の方向から中棒３８を切断した状態で見た平面図であり、（ｂ）は傘３１を開いた状態で下ロクロ４１の周辺を示す側面図である。
【図８】図５に示した傘３１の親骨と受骨との位置関係について説明する図であって親骨と受骨との接続位置の周辺を拡大して示す側面図であり、（ａ）は親骨３４ａと受骨４０ａとについて示す図であり、（ｂ）は親骨３４ｂと受骨４０ｂとについて示す図であり、（ｃ）は親骨３４ｃと受骨４０ｃとについて示す図であり、（ｄ）は親骨３４ｄと受骨４０ｄとについて示す図である。
【図９】本考案による傘の第４の実施の形態の外観を示す斜視図である。
【図１０】図７（ａ）および図７（ｂ）に示した下ロクロの別の例を示す図であり、（ａ）は下ロクロの周辺を石突の方向から中棒を切断した状態で見た平面図であり、（ｂ）は傘を開いた状態で下ロクロの周辺を示す側面図である。
【図１１】図６（ａ）および図６（ｂ）に示した上ロクロの別の例を示す図であり、（ａ）は上ロクロの第２の例を示す側面図、（ｂ）は上ロクロの第３の例を示す側面図、（ｃ）は上ロクロの第４の例を示す側面図である。
【図１２】上ロクロの第５の例を示す図であり、（ａ）は上ロクロ９３の周辺を石突９２の方向から見た平面図であり、（ｂ）は傘を開いた状態で上ロクロ９３の周辺を示す側面図である。
【図１３】本考案による傘の第５の実施の形態を手元の方向から見た底面図である。
【図１４】本考案による傘の第６の実施の形態の外観を示す斜視図である。
【図１５】図１４に示した傘２０１を手元２０９の方向から見た底面図である。
【図１６】図１４に示した傘２０１の上ロクロ２０３の部分の側面図である。
【図１７】本考案による傘の第７の実施の形態の外観を示す斜視図である。
【図１８】図１７に示した傘１１１を手元１１９の方向から見た底面図である。
【図１９】図１７に示した傘１１１の側面図であって、親骨の高さについて見やすいように、糸１１７および生地１１６や余計な親骨を除いた状態で示す図である。
【図２０】図１７に示した傘１１１の各親骨の高さをグラフに表した図である。
【図２１】本考案による傘の親骨の高さの例をグラフに表した図である。
【図２２】本考案による傘の親骨の高さの例をグラフに表した図である。
【図２３】本考案による傘の親骨の高さの例をグラフに表した図である。
【図２４】本考案による傘の親骨の高さの例をグラフに表した図である。
【図２５】本考案による傘の親骨の高さの例をグラフに表した図である。
【図２６】本考案による傘の親骨の高さの例をグラフに表した図である。
【図２７】本考案による傘の親骨の高さの例をグラフに表した図である。
【図２８】本考案による傘の親骨の高さの例をグラフに表した図である。
【図２９】本考案による傘の親骨の高さの例をグラフに表した図である。
【図３０】本考案による傘の親骨の高さの例をグラフに表した図である。
【図３１】本考案による傘の第８の実施の形態を石突の方向から見た平面図である。
【図３２】本考案による傘の第９の実施の形態の外観を示す斜視図であって傘を開いた状態を示す図である。
【図３３】図３２に示す傘１４１の親骨の間に張ってある生地を取り除いて示す斜視図である。
【図３４】図３２に示す傘１４１の正面図である。
【図３５】図３２に示す傘１４１の平面図である。
【図３６】図３２に示す傘１４１の生地を示す平面図であって、（ａ）は生地１４６ａの平面図であり、（ｂ）は生地１４６ｂの平面図である。
【考案を実施するための形態】
【００１４】
以下、本考案の実施の形態を図面を参照して詳しく説明する。
【００１５】
本考案の目的、作用、効果、そのほかの目的、特徴および動作上の利点が、好適な実施の形態の説明によって明確になるであろう。
【００１６】
参考としてここに開示される実施の形態は、様々な実施可能な例の中から当業者の理解を助けるために最も好適な実施の形態を選定して提示したものに過ぎず、本考案の技術的思想が必ずしもこの実施の形態に限定あるいは制限されるものではない。本考案の技術的思想から逸脱することなく、様々な変化、付加および変更が可能なのは勿論、均等な他の実施も可能であり、これらも本考案に含まれることを明らかにしておく。
【００１７】
なお、本考案による傘は、日傘であってもよいし雨傘であってもかまわない。また、本考案による傘の形状、構造は、長傘にも適用できるし、折りたたみ傘にも適用できることは言うまでもない。
【００１８】
図１は、本考案による傘の一実施の形態の外観を示す斜視図である。
【００１９】
図１に示すように、本実施の形態の傘１は、従来の傘と同様に、中棒８の先端に石突２が設けられ、中棒８の下端には手元９が設けられている。
【００２０】
中棒８のうち石突２の直下には上ロクロ３が設けられ、この上ロクロ３には親骨４ａ、４ｂ、４ｃ、４ｄ、４ｅ、４ｆおよび４ｇが接続されている。中棒８には、中棒８に沿って移動可能な下ロクロ（図示せず）が外挿され、この下ロクロに接続された受骨１０ａ、１０ｂ、１０ｃ、１０ｄ、１０ｅ、１０ｆおよび１０ｇ（図２に示す）のそれぞれが親骨４ａ、４ｂ、４ｃ、４ｄ、４ｅ、４ｆおよび４ｇのそれぞれを支え、下ロクロを中棒８に沿って移動させることによって、傘１の開閉が行われる。
【００２１】
親骨４ａ、４ｂ、４ｃ、４ｄ、４ｅ、４ｆおよび４ｇのそれぞれには、上ロクロ３に接続された端とは別の端に露先５ａ、５ｂ、５ｃ、５ｄ、５ｅ、５ｆおよび５ｇ（５ｆおよび５ｇは図１では見えない位置にあるため、図２を参照）のそれぞれが設けられ、雨のしずくの誘導や各親骨の先端の危険の緩和の役割を果たしている。
【００２２】
親骨４ａ、４ｂ、４ｃ、４ｄ、４ｅ、４ｆおよび４ｇのそれぞれの先端に設けられた露先５ａ、５ｂ、５ｃ、５ｄ、５ｅ、５ｆおよび５ｇのそれぞれは、糸７によって隣接する露先と接続される。すなわち、隣接する露先どうしを接続する糸７の長さを調節することによって、隣接する露先どうしの距離を調節し、その露先が設けられた親骨の形状を調整することができる。
【００２３】
糸７の材質は特に問わず、結んだ露先から外れたりせず、また糸７が切れてしまったりすることがない程度の強度を有すればよく、たとえば、釣り糸、ナイロン糸、化学繊維の糸、ピアノ線、金属の糸、そのほか綿糸、絹糸等であってもかまわない。
【００２４】
また糸７は、露先どうしを結ぶものに限らず、親骨の所定位置と隣接する親骨の所定位置とを結ぶものであってもかまわない。
【００２５】
このように本実施の形態では、傘の露先どうしを糸で結んで各親骨によって形成される形状を定めるようにしたので、任意の形状を容易に実現することができる。
【００２６】
また、図１に示すように、傘１では、親骨４ａ、４ｂ、４ｃ、４ｄ、４ｅ、４ｆおよび４ｇの上には、生地６が張られ、雨よけ、日よけの役割を果たしている。この生地６の材質は、布であっても、ビニールであっても、紙であってもよいことはいうまでもない。また、レースや網のように隙間があるもの（隙間があっても日よけとしての役割やファッション装身具としての役割は十分に担うことができる。）であってもかまわない。
【００２７】
生地６は、各骨や糸７によって傘の形状が定まった後に張りつけるだけのものであってもよいし、逆に生地６に各骨を固定する（糸で結わえ付けたり、接着剤で接着することもできる）際に各骨の位置を定める、すなわち、生地６によって傘の形状を定めるようにしてもよい。この場合、糸７は設けなくてもよく、また、図１では隣り合う露先どうしを糸７によって直線的に繋いでいるが、糸７で形状を定めるのでなければ、隣り合う露先どうしを繋ぐ生地６を曲線にするなど任意にカットして生地６による美しさが出るようにしてもよい。
【００２８】
また、図１では、生地６の上に上ロクロ３が見えているが、生地６は上ロクロ３の上から覆うものであってもよい。
【００２９】
図２は、図１に示した傘１を手元９の方向から見た底面図である。
【００３０】
本実施の形態の傘１は、親骨４ａ、４ｂ、４ｃ、４ｄ、４ｅ、４ｆおよび４ｇのうち隣り合う親骨どうしがなす角度を、所定の個所で異ならせている。すなわち、図２の例では、親骨４ｅと親骨４ｄとがなす角の角度θ０を、他の所定の親骨どうしがなす角の角度（θ１〜θ６）と異ならせている。これは、傘の親骨の数が８本で等角度間隔のものから、親骨および受骨を１本取り除いて（親骨４ｅと親骨４ｄとの間の親骨および受骨を取り除いて）実現することもできる。
【００３１】
このように本実施の形態の傘１では、傘の隣り合う親骨どうしがなす角の角度を、所定の親骨において異ならせるようにしたので、傘の親骨とそれに張られた生地によって様々な形状たとえば貝殻の形状を実現することができるという効果がある。また、従来の傘の親骨のうちの何本かを取り除くようにすれば、容易に、傘の隣り合う親骨どうしがなす角の角度を、所定の親骨において異なるという構造を実現することができる。
【００３２】
また、本実施の形態の傘１では、親骨４ａ、４ｂ、４ｃ、４ｄ、４ｅ、４ｆおよび４ｇのうち所定の親骨の長さを他の所定の親骨の長さと異ならせるようにしている。すなわち、図２の例では、親骨４ａが最も長く、親骨４ｂと親骨４ｇとが同じ長さであって親骨４ａの次に長く、親骨４ｃと親骨４ｆとが同じ長さであって親骨４ｂと親骨４ｇの次に長く、親骨４ｄと親骨４ｅとが同じ長さであって最も短い。
【００３３】
このように本実施の形態の傘１では、所定の親骨の長さを他の所定の親骨の長さと異ならせるようにしたので、傘の親骨とそれに張られた生地によって様々な形状たとえば貝殻の形状を実現することができるという効果がある。
【００３４】
なお、本実施の形態の傘１では、親骨の数を７本にしているが、本考案はこれに限られるものではなく、９本、１１本でもよく、さらには他の数でもよく、また、偶数でも奇数でもよい。
【００３５】
次に、本考案による傘の第２の実施の形態について説明する。
【００３６】
図３は、本考案による傘の第２の実施の形態の外観を示す斜視図である。
【００３７】
図３においては、この実施の形態に係る傘１１の構造の見易さのため、雨よけや日よけのための生地を取り除いた状態で示している。
【００３８】
本実施の形態の傘１１は、中棒１８の先端に石突１２が設けられ、中棒１８の下端には手元１９が設けられている。
【００３９】
中棒１８のうち石突１２の直下には上ロクロ１３が設けられ、この上ロクロ１３には親骨１４ａ、１４ｂ、１４ｃ、１４ｄ、１４ｅ、１４ｆおよび１４ｇが接続されている。また、中棒１８には、中棒１８に沿って移動可能な下ロクロ２１が外挿され、この下ロクロ２１に接続された受骨２０ａ、２０ｂ、２０ｃ、２０ｄ、２０ｅ、２０ｆおよび２０ｇのそれぞれが親骨１４ａ、１４ｂ、１４ｃ、１４ｄ、１４ｅ、１４ｆおよび１４ｇのそれぞれを支え、下ロクロ２１を中棒１８に沿って移動させることによって、傘１１の開閉が行われる。
【００４０】
中棒１８には、さらに上はじき２２が設けられ、傘１１を開いた状態において、下ロクロ２１を上はじき２２で留めて、傘１１が閉じてしまうのを防止するようにしている。閉じている傘が開いてしまうのを防ぐためには、下はじきが用いられるが、本実施の形態では省略する。
【００４１】
また、親骨１４ａ、１４ｂ、１４ｃ、１４ｄ、１４ｅ、１４ｆおよび１４ｇのそれぞれには、上ロクロ１３に接続された端とは別の端に露先１５ａ、１５ｂ、１５ｃ、１５ｄ、１５ｅ、１５ｆおよび１５ｇのそれぞれが設けられ、雨のしずくの誘導や各親骨の先端の危険の緩和の役割を果たしている。
【００４２】
親骨１４ａ、１４ｂ、１４ｃ、１４ｄ、１４ｅ、１４ｆおよび１４ｇのそれぞれの先端に設けられた露先１５ａ、１５ｂ、１５ｃ、１５ｄ、１５ｅ、１５ｆおよび１５ｇのそれぞれは、糸１７によって隣接する露先と接続される。さらに傘１１の親骨１４ａ、１４ｂ、１４ｃ、１４ｄ、１４ｅ、１４ｆおよび１４ｇの上には、生地（図示せず）が張られる。
【００４３】
この図３に示す実施の形態においては受骨に特徴を有する。すなわち、図３に示す例では、受骨２０ｄおよび受骨２０ｅが、他の受骨と異なる構造を有している。この点について図４を参照して説明する。
【００４４】
図４は、図３に示した傘１１の受骨２０ｄの構造を説明する図であって、受骨２０ｄの周辺を拡大して示す側面図であり、（ａ）は傘１１を閉じた状態での受骨２０ｄの周辺を示す側面図であり、（ｂ）は傘１１開いた状態での受骨２０ｄの周辺を示す側面図である。
【００４５】
本実施の形態では、受骨２０ｄおよび受骨２０ｅが他の受骨と異なる構造を有しているが、受骨２０ｅは受骨２０ｄと同じ構造であるので、ここでは、代表して受骨２０ｄについて説明する。
【００４６】
図４（ａ）および図４（ｂ）に示すように、受骨２０ｄは下端が下ロクロ２１に接続され、上端に中子２３ｄが挿入された中空の円筒状の構造を有している。また、中子２３ｄは上端が親骨１４ｄの所定位置（中央よりやや中棒１８寄り）に接続され、下端は中空の受骨２０ｄの中に挿し込んだ状態になっている。
【００４７】
図４（ａ）に示すように、傘１１を閉じた状態では、受骨２０ｄから中子２３ｄが所定の長さだけ出てきて、親骨１４ｄと下ロクロ２１とを接続する部材すなわち受骨２０ｄと中子２３ｄとがなす長さが長くなって受骨２０ｄと中子２３ｄとが共働して受骨となり、一方、図４（ｂ）に示すように、傘１１を開いた状態では、受骨２０ｄの中に中子２３ｄがスライドして挿し込まれ、親骨１４ｄと下ロクロ２１とを接続する部材すなわち受骨２０ｄと中子２３ｄとがなす長さが短くなって受骨２０ｄと中子２３ｄとが受骨となる。
【００４８】
なお、本実施の形態では、受骨２０ｄおよび受骨２０ｅが他の受骨と異なる中子式の構造（テレスコープ構造）を有しているが、本考案はこれに限られるものではなく、複数の受骨のうちの所定の数の受骨が中子式の構造を有するものであってかまわない。
【００４９】
このように本実施の形態によれば、親骨に接続された受骨のうち所定の受骨の長さを変化させることができるようにしたので、傘に無理な力がかからず、傘の破損を防ぐことができる。
【００５０】
また、親骨の長さに応じてその親骨に接続された受骨の長さを変化させることもでき、その場合にも、傘に無理な力がかからず、傘の破損を防ぐことができる。
【００５１】
また本実施の形態によれば、所定の受骨をスライド可能な中子式にしたので、傘の開閉の状態に応じてその受骨の長さが変化し、傘に無理な力がかからず、傘の破損を防ぐことができる。
【００５２】
次に、本考案による傘の第３の実施の形態について説明する。
【００５３】
図５は、本考案による傘の第３の実施の形態の外観を示す斜視図である。
【００５４】
図５においては、この実施の形態に係る傘３１の構造の見易さのため、雨よけや日よけのため、また形状を作り出すための生地を取り除いた状態で示している。
【００５５】
本実施の形態の傘３１は、中棒３８の先端に石突３２が設けられ、中棒３８の下端には手元３９が設けられている。
【００５６】
中棒３８のうち石突３２の直下には上ロクロ３３が設けられ、この上ロクロ３３には親骨３４ａ、３４ｂ、３４ｃ、３４ｄ、３４ｅ、３４ｆおよび３４ｇが接続されている。また、中棒３８には、中棒３８に沿って移動可能な下ロクロ４１が外挿され、この下ロクロ４１に接続された受骨４０ａ、４０ｂ、４０ｃ、４０ｄ、４０ｅ、４０ｆおよび４０ｇのそれぞれが親骨３４ａ、３４ｂ、３４ｃ、３４ｄ、３４ｅ、３４ｆおよび３４ｇのそれぞれを支え、下ロクロ４１を中棒３８に沿って移動させることによって、傘３１の開閉が行われる。
【００５７】
中棒３８には、さらに上はじき４２が設けられ、傘３１を開いた状態において、下ロクロ４１を上はじき４２で留めて、傘３１が閉じてしまうのを防止するようにしている。
【００５８】
また、親骨３４ａ、３４ｂ、３４ｃ、３４ｄ、３４ｅ、３４ｆおよび３４ｇのそれぞれには、上ロクロ３３に接続された端とは別の端に露先３５ａ、３５ｂ、３５ｃ、３５ｄ、３５ｅ、３５ｆおよび３５ｇのそれぞれが設けられ、雨のしずくの誘導や各親骨の先端の危険の緩和の役割を果たしている。
【００５９】
親骨３４ａ、３４ｂ、３４ｃ、３４ｄ、３４ｅ、３４ｆおよび３４ｇのそれぞれの先端に設けられた露先３５ａ、３５ｂ、３５ｃ、３５ｄ、３５ｅ、３５ｆおよび３５ｇのそれぞれは、糸３７によって隣接する露先と接続される。さらに傘３１の親骨３４ａ、３４ｂ、３４ｃ、３４ｄ、３４ｅ、３４ｆおよび３４ｇの上には、生地（図示せず）が張られる。
【００６０】
この図５に示す実施の形態においては上ロクロおよび下ロクロに特徴を有する。すなわち、この点について図６および図７を参照して説明する。
【００６１】
図６は、図５に示した傘３１の上ロクロ３３の構造を説明する図であって上ロクロ３３の周辺を拡大して示す図であり、（ａ）は上ロクロ３３の周辺を石突３２の方向から見た平面図であり、（ｂ）は傘３１を開いた状態で上ロクロ３３の周辺を示す側面図である。
【００６２】
図６（ａ）に示すように、本実施の形態の上ロクロ３３は、親骨３４ａ、３４ｂおよび３４ｇの接続位置において上ロクロ３３の上部がカットしてあり、これらの親骨の上下方向の可動範囲を広げてある。このようにすることによって、図６（ｂ）に示すように、親骨３４ａ、３４ｂおよび３４ｇを、中棒３８の軸方向と垂直な面のうち上ロクロ３３の位置の面よりも上側まで持ち上げることができるようになる。
【００６３】
すなわち、本実施の形態によれば、上ロクロに親骨が接続された位置において、所定の親骨の可動範囲を上方向に広げるようにしたので、傘に無理な力がかからず、傘の破損を防ぐことができ、傘の開閉操作をスムーズに行うことができ、また親骨によって所望の形状を作り出すことができる。
【００６４】
図７は、図５に示した傘３１の下ロクロ４１の構造を説明する図であって下ロクロ４１の周辺を拡大して示す図であり、（ａ）は下ロクロ４１の周辺を石突３２の方向から中棒３８を切断した状態で見た平面図であり、（ｂ）は傘３１を開いた状態で下ロクロ４１の周辺を示す側面図である。
【００６５】
図７（ａ）に示すように、本実施の形態の下ロクロ４１は、受骨４０ｃ、４０ｄ、４０ｅおよび４０ｆの接続位置において下ロクロ４１の周辺がカットしてあり、左右方向すなわち図において水平両方向への可動範囲を広げてある。このようにすることによって、図７（ａ）および図７（ｂ）に示すように、受骨４０ｃ、４０ｄ、４０ｅおよび４０ｆが、中棒３８を軸とした軸回転方向で動くことができるようになる。
【００６６】
すなわち、本実施の形態によれば、下ロクロに受骨が接続された位置において、所定の受骨の水平両方向への可動範囲を広げるようにしたので、傘に無理な力がかからず、傘の破損を防ぐことができ、傘の開閉操作をスムーズに行うことができ、また親骨によって所望の形状を作り出すことができる。
【００６７】
また、このような構造のロクロは、従来の傘の上ロクロや下ロクロの所定個所をカットするようにすれば、容易に、各骨の可動範囲を広げることができる。
【００６８】
また、図６（ａ）および図６（ｂ）に示した例では、上ロクロ３３における左右方向での可動範囲は広げていないが、上ロクロ３３においても下ロクロ４１と同様に、左右方向の可動範囲を広げるようにしてもよい。
【００６９】
ところで、図５に示した実施の形態では、親骨と受骨との位置関係においても特徴を有する。この点について図８を参照して説明する。
【００７０】
図８は、図５に示した傘３１の親骨と受骨との位置関係について説明する図であって、親骨と受骨との接続位置の周辺を拡大して示す側面図であり、（ａ）は親骨３４ａと受骨４０ａとについて示す図であり、（ｂ）は親骨３４ｂと受骨４０ｂとについて示す図であり、（ｃ）は親骨３４ｃと受骨４０ｃとについて示す図であり、（ｄ）は親骨３４ｄと受骨４０ｄとについて示す図である。
【００７１】
なお、図５に示した実施の形態では、親骨３４ｇと受骨４０ｇとの位置関係は親骨３４ｂと受骨４０ｂとの位置関係と同じであり、親骨３４ｆと受骨４０ｆとの位置関係は親骨３４ｃと受骨４０ｃとの位置関係と同じであり、親骨３４ｅと受骨４０ｅとの位置関係は親骨３４ｄと受骨４０ｄとの位置関係と同じであるため、親骨３４ｇと受骨４０ｇとの位置関係、親骨３４ｆと受骨４０ｆとの位置関係および親骨３４ｅと受骨４０ｅとの位置関係は図示を省略する。
【００７２】
図５に示した実施の形態では、傘３１の複数の受骨のうち所定の受骨の長さが他の所定の受骨の長さと異なることを特徴としている。ここでは、図８（ａ）〜図８（ｄ）に示すように、受骨４０ａが最も長く、受骨４０ｂと受骨４０ｇとが同じ長さであって受骨４０ａの次に長く、受骨４０ｃと受骨４０ｆとが同じ長さであって受骨４０ｂと受骨４０ｇの次に長く、受骨４０ｄと受骨４０ｅとが同じ長さであって最も短い。
【００７３】
さらに、この実施の形態では、受骨の長さに応じて、親骨と受骨との接続位置も異ならせている。
【００７４】
すなわち、ここでは、図８（ａ）に示すように、最も長い受骨４０ａでは、受骨４０ａが親骨３４ａに接続される位置が上ロクロ３３に最も近い。すなわち親骨３４ａ上で、親骨３４ａが上ロクロ３３に接続されている位置Ａａから、受骨４０ａが親骨３４ａに接続されている位置Ｂａまでの長さが、他のものよりも最も短い。
【００７５】
また、図８（ｂ）に示すように、２番目に長い受骨４０ｂでは、受骨４０ｂが親骨３４ｂに接続される位置が上ロクロ３３に２番目に近い。すなわち親骨３４ｂ上で、親骨３４ｂが上ロクロ３３に接続されている位置Ａｂから、受骨４０ｂが親骨３４ｂに接続されている位置Ｂｂまでの長さが、受骨４０ａの場合の次に短い。
【００７６】
また、図８（ｃ）に示すように、３番目に長い受骨４０ｃでは、受骨４０ｃが親骨３４ｃに接続される位置が上ロクロ３３に３番目に近い。すなわち親骨３４ｃ上で、親骨３４ｃが上ロクロ３３に接続されている位置Ａｃから、受骨４０ｃが親骨３４ｃに接続されている位置Ｂｃまでの長さが、受骨４０ｂの場合の次に短い。
【００７７】
また、図８（ｄ）に示すように、最も短い受骨４０ｄでは、受骨４０ｄが親骨３４ｄに接続される位置が上ロクロ３３から最も遠い。すなわち親骨３４ｄ上で、親骨３４ｄが上ロクロ３３に接続されている位置Ａｄから、受骨４０ｄが親骨３４ｄに接続されている位置Ｂｄまでの長さが、他のものよりも最も長い。
【００７８】
すなわち、傘をスムーズに開閉できるようにするためには、位置Ａａから位置Ｂａまでの距離をＡａ〜Ｂａと表すものとしたとき、（Ａａ〜Ｂａ＋Ｂａ〜Ｃａ）＝（Ａｂ〜Ｂｂ＋Ｂｂ〜Ｃｂ）＝（Ａｃ〜Ｂｃ＋Ｂｃ〜Ｃｃ）＝（Ａｄ〜Ｂｄ＋Ｂｄ〜Ｃｄ）であることが望ましい。
【００７９】
本実施の形態によれば、親骨に接続された受骨の長さを異ならせ、また、それに応じて親骨と受骨との接続位置を調節するようにしたので、傘に無理な力がかからず、傘の破損を防ぐことができ、親骨によって所望の形状を作り出すことができる。
【００８０】
本実施の形態によれば、親骨の長さに応じてその親骨に接続された受骨の長さも異ならせ、また、それに応じて親骨と受骨との接続位置を調節するようにしたので、傘に無理な力がかからず、傘の破損を防ぐことができ、親骨によって所望の形状を作り出すことができる。
【００８１】
ところで、図１に示した傘１の手元９や、図３に示した傘１１の手元１９や、図５に示した傘３１の手元３９は、まっすぐな棒状の形状であるが、本願考案はこれに限られるものではなく、手元の形状はこれと異なるものであってもよい。その一例を図９に示す。
【００８２】
図９は、本考案による傘の第４の実施の形態の外観を示す斜視図である。
【００８３】
図９に示すように、本実施の形態の傘５１は、中棒５８の先端に石突５２が設けられ、中棒５８の下端には手元５９が設けられている。
【００８４】
この手元５９は先端がカーブしており、手元５９がこのような形状をしていることによって、傘５１が中棒５８を軸として回転してしまうのを手元５９で抑えやすくなるという効果がある。また、手元５９のうち中棒５８と平行でない部分を持てば、傘５１の開閉をスムーズに行うことができるという効果がある。
【００８５】
また、ファッション性からいうと、傘５１の複数の親骨のうち一番長いもの（図９では親骨５５ａ）と軸対称な向き（中棒５８を軸として）に、手元５９の先端がカーブするようにするのが、見た目の美しさからして望ましい。
【００８６】
図１０は、図７（ａ）および図７（ｂ）に示した下ロクロの別の例を示す図であり、（ａ）は下ロクロの周辺を石突の方向から中棒を切断した状態で見た平面図であり、（ｂ）は傘を開いた状態で下ロクロの周辺を示す側面図である。
【００８７】
図７（ａ）および図７（ｂ）に示した例では、受骨４０ｃ、４０ｄ、４０ｅおよび４０ｆの接続位置において下ロクロ４１の周辺がカットしてあり、左右方向すなわち図において水平両方向への可動範囲を広げるようにしたが、図１０（ａ）および図１０（ｂ）に示す例では、受骨６０ａ〜６０ｇの下ロクロ６１への接続位置での水平両方向への可動範囲を広げるものではなく、受骨６０ａ〜６０ｇの下ロクロ６１への接続位置での水平方向の向きを通常と異ならせている。
【００８８】
従来の傘では、受骨の下ロクロへの接続位置での水平方向の向きは、下ロクロの中心から放射される向きと同じにされている。ところが、この図１０（ａ）および図１０（ｂ）に示す例では、たとえば図７（ａ）において実線で示した受骨４０ａ〜４０ｇと同じ向きで、受骨６０ａ〜６０ｇが下ロクロ６１に接続されており、しかも下ロクロ６１には、図７（ａ）の下ロクロ４１のような水平方向での可動幅は設けられていない。すなわち、図１０（ａ）および図１０（ｂ）に示す例では、複数の受骨のうちの所定の受骨（６０ｃ、６０ｄ、６０ｅ、６０ｆ）が下ロクロ６１の中心以外を向いて接続されている。
【００８９】
この図１０（ａ）および図１０（ｂ）に示す例のようにした場合においても、また親骨によって所望の形状を作り出すことができる。
【００９０】
この図１０（ａ）および図１０（ｂ）に示した例では、受骨の下ロクロへの接続位置での水平方向の向きについて説明したが、これは上ロクロにおいても適用することができる。すなわち、親骨の上ロクロへの接続位置での水平方向の向きを従来と異ならせることによっても、親骨によって所望の形状を作り出すことができる。
【００９１】
図１１は、図６（ａ）および図６（ｂ）に示した上ロクロの別の例を示す図であり、（ａ）は上ロクロの第２の例を示す側面図、（ｂ）は上ロクロの第３の例を示す側面図、（ｃ）は上ロクロの第４の例を示す側面図である。
【００９２】
図６（ａ）および図６（ｂ）に示した例では、上ロクロ３３のうち親骨３４ａ、３４ｂおよび３４ｇを接続した部分の上部を完全にカットしてしまい、親骨３４ａ、３４ｂおよび３４ｇの上下方向での可動範囲を広げるようにしたが、本考案は、この図６（ａ）および図６（ｂ）に示した例に限られるものではなく、上ロクロと親骨との接続形態を様々に従来と異ならせることによって、親骨によって所望の形状を作り出すことができる。
【００９３】
たとえば、図１１（ａ）に示す例では、中棒７５と石突７２との間に設けた上ロクロ７３は、図６（ｂ）に示した上ロクロ３３と違って、上部を完全にカットするのではなく溝を長くして、これによってたとえば親骨７４の上下方向での可動範囲を従来よりも広げるようにしている。この場合にも、親骨によって所望の形状を作り出すことができる。
【００９４】
また、図１１（ｂ）に示す例では、中棒７９と石突７６との間に設けた上ロクロ７７は、図１１（ａ）に示した上ロクロ７３のように溝を長くするのではなく、複数の親骨のうち所定の親骨の上ロクロ７７への接続位置を、他の所定の親骨の接続位置と上下方向で異ならせるようにしている。この場合にも、親骨によって所望の形状を作り出すことができる。
【００９５】
また、図１１（ｃ）に示す例では、中棒８３と石突８０との間に設けた上ロクロ８１は、図１１（ａ）に示した上ロクロ７３のように溝を長くするとともに、親骨の上ロクロへの接続位置を、図１１（ｂ）に示した例と同様に異ならせている。この場合にも、親骨によって所望の形状を作り出すことができる。
【００９６】
図１１（ａ）、図１１（ｂ）、図１１（ｃ）は上ロクロの形状の例を示したが、本考案はこれに限られるものではなく、下ロクロを図１１（ａ）、図１１（ｂ）、図１１（ｃ）に示した上ロクロと同様の形状にしてもよい。
【００９７】
図１２は上ロクロの第５の例を示す図であり、（ａ）は上ロクロ９３の周辺を石突９２の方向から見た平面図であり、（ｂ）は傘を開いた状態で上ロクロ９３の周辺を示す側面図である。
【００９８】
この第５の例による上ロクロ９３はツバ部９５を有しており、このツバ部９５は、上ロクロ９３のうち親骨９４ａ、９４ｂおよび９４ｇが接続される溝の上に設けられている。
【００９９】
このツバ部９５は、親骨９４ａ、９４ｂ、９４ｇのそれぞれが傘を開く操作につれて上がった際に、その親骨９４ａ、９４ｂ、９４ｇを支えて傘を補強する役割を果たすものである。ツバ部９５は、傘を開いたときに親骨９４ａ、９４ｂ、９４ｇを固定したい位置で、親骨９４ａ、９４ｂ、９４ｇを面で支えることができる形状となっており、これによって、傘を開いたときに補強され安定した状態で傘を使用することができるという効果がある。
【０１００】
次に、本考案のさらに別の実施の形態について説明する。
【０１０１】
図１３は、本考案による傘の第５の実施の形態を手元の方向から見た底面図である。
【０１０２】
本実施の形態の傘１０１は、中棒の先端に石突が設けられ、中棒の下端には手元１０９が設けられている。なお、図１３では、石突および中棒は、手元１０９の陰になり図示されない。
【０１０３】
石突の直下には上ロクロ（図１３においては図示せず）が設けられ、この上ロクロには親骨１０４ａ、１０４ｂ、１０４ｃ、１０４ｄ、１０４ｅ、１０４ｆおよび１０４ｇが接続されている。また、中棒には、中棒に沿って移動可能な下ロクロ（図１３においては図示せず）が外挿され、この下ロクロに接続された受骨１１０ａ、１１０ｂ、１１０ｃ、１１０ｄ、１１０ｅ、１１０ｆおよび１１０ｇのそれぞれが親骨１０４ａ、１０４ｂ、１０４ｃ、１０４ｄ、１０４ｅ、１０４ｆおよび１０４ｇのそれぞれを支え、下ロクロを中棒に沿って移動させることによって、傘１０１の開閉が行われる。
【０１０４】
また、親骨１０４ａ、１０４ｂ、１０４ｃ、１０４ｄ、１０４ｅ、１０４ｆおよび１０４ｇのそれぞれには、上ロクロに接続された端とは別の端に露先１０５ａ、１０５ｂ、１０５ｃ、１０５ｄ、１０５ｅ、１０５ｆおよび１０５ｇのそれぞれが設けられ、雨のしずくの誘導や各親骨の先端の危険の緩和の役割を果たしている。
【０１０５】
親骨１０４ａ、１０４ｂ、１０４ｃ、１０４ｄ、１０４ｅ、１０４ｆおよび１０４ｇのそれぞれの先端に設けられた露先１０５ａ、１０５ｂ、１０５ｃ、１０５ｄ、１０５ｅ、１０５ｆおよび１０５ｇのそれぞれは、糸１０７によって隣接する露先と接続される。さらに傘１０１の親骨１０４ａ、１０４ｂ、１０４ｃ、１０４ｄ、１０４ｅ、１０４ｆおよび１０４ｇの上には、生地１０６が張られる。
【０１０６】
本実施の形態の傘１０１は、親骨１０４ａ、１０４ｂ、１０４ｃ、１０４ｄ、１０４ｅ、１０４ｆおよび１０４ｇのうちの所定の親骨を、中棒の軸方向と垂直な面方向において湾曲させることに特徴を有する。すなわち、傘の開閉動作の際に各親骨が移動する方向とは異なる方向に、傘を開いたときの親骨が湾曲している。
【０１０７】
図１３に示した例では、親骨１０４ｃの先端の露先１０５ｃが露先１０５ｂの側に向かうように、親骨１０４ｃを湾曲させ、また、親骨１０４ｆの先端の露先１０５ｆが露先１０５ｇの側に向かうように、親骨１０４ｆを湾曲させ、また、親骨１０４ｂの先端の露先１０５ｂが露先１０５ａの側に向かうように、親骨１０４ｂを湾曲させ、また、親骨１０４ｇの先端の露先１０５ｇが露先１０５ａの側に向かうように、親骨１０４ｇを湾曲させている。また、傘１０１をとじた場合には、各親骨は中棒に沿ってまっすぐな状態に戻ることが望ましい。
【０１０８】
これらの親骨の湾曲は、露先どうしを接続する糸１０７の張力によって形成してもよい。また、各親骨と生地１０６とを所定位置（たとえば図１３の点Ａや点Ｂ）で固着させ、生地１０６の張力によって親骨を湾曲させるようにしてもよい。各親骨の所定位置と生地１０６の所定位置とを固着させるには、糸でくくりつけるようにしてもよいし、必要な強度を有する接着剤で固着させるようにしてもよい。
【０１０９】
各親骨の材質は、プラスチック、メタル、カーボンファイバー、グラスファイバーなど湾曲可能なものであればよく、軽量化のためにはカーボンファイバーやグラスファイバーなどが望ましい。また、親骨の可撓性の大きさすなわちたわみ易さ（湾曲のし易さ）を必要に応じて選択することによって、任意の形状を作り出すことができる。この親骨の可撓性の大きさは材質を変えることによって選択することもできるし、親骨の太さを変えることによって選択することもできる。また、１つの傘の複数の親骨においてそれぞれで可撓性の大きさが異なるものを用いて傘の形状を作り出すようにしてもよい。また、短い親骨を可撓性の大きいものにしてもよいし、長い親骨を可撓性の大きいものにしてもよいし、短い親骨を可撓性の小さいものにしてもよいし、長い親骨を可撓性の小さいものにしてもよいし、可撓性の大きさの段階を複数段階設けてもよい。
【０１１０】
生地１０６の材質は、コットン、リネン、シルク、そのほか既知のあらゆる天然繊維、化学繊維を用いることができ、日傘として用いる場合にはＵＶ加工（紫外線遮断加工）を施すのが望ましい。また、生地１０６としては、伸縮性のある材質の生地を用いてもよいし、伸縮性の比較的小さい生地でもよく、傘を開いたときの形状の美しさが表せるのが望ましい。
【０１１１】
また、生地１０６は、１枚の布ですべての露先にわたる傘全体を覆う生地であってもよいし、所定の親骨とその隣の親骨との間を覆う布を複数枚（親骨の数と同じ枚数）用意し、これを縫い合わせるようにしてもよい。また、たとえば親骨１０４ｃと１０４ａとの間を１枚の布で覆うように、縫い合わせる布の枚数を調節してもよい。
【０１１２】
このように本実施の形態の傘１０１では、所定の親骨を、中棒と垂直な面方向において湾曲させるようにしたので、傘の親骨とそれに張られた生地によってより美しい形状を実現することができるという効果がある。
【０１１３】
次に、本考案のさらに別の実施の形態について説明する。
【０１１４】
図１４は、本考案による傘の第６の実施の形態の外観を示す斜視図である。
【０１１５】
また図１５は、図１４に示した傘２０１を手元２０９の方向から見た底面図である。
【０１１６】
図１４に示すように、本実施の形態の傘２０１は、従来の傘と同様に、中棒２０８の先端に石突２０２が設けられ、中棒２０８の下端には手元２０９が設けられている。
【０１１７】
中棒２０８のうち石突２０２の直下には上ロクロ２０３が設けられ、この上ロクロ２０３には親骨２０４ａ、２０４ｂ、２０４ｃ、２０４ｄ、２０４ｅ、２０４ｆ、２０４ｇ、２０４ｈ、２０４ｉ、２０４ｊおよび２０４ｋが接続されている。中棒２０８には、中棒２０８に沿って移動可能な下ロクロ（図示せず）が外挿され、この下ロクロに接続された受骨２１０ａ、２１０ｂ、２１０ｃ、２１０ｄ、２１０ｅ、２１０ｆ、２１０ｇ、２１０ｈ、２１０ｉ、２１０ｊおよび２１０ｋ（図１５に示す）のそれぞれが親骨２０４ａ、２０４ｂ、２０４ｃ、２０４ｄ、２０４ｅ、２０４ｆ、２０４ｇ、２０４ｈ、２０４ｉ、２０４ｊおよび２０４ｋのそれぞれを支え、下ロクロを中棒２０８に沿って移動させることによって、傘２０１の開閉が行われる。
【０１１８】
親骨２０４ａ、２０４ｂ、２０４ｃ、２０４ｄ、２０４ｅ、２０４ｆ、２０４ｇ、２０４ｈ、２０４ｉ、２０４ｊおよび２０４ｋのそれぞれには、上ロクロ２０３に接続された端とは別の端に露先２０５ａ、２０５ｂ、２０５ｃ、２０５ｄ、２０５ｅ、２０５ｆ、２０５ｇ、２０５ｈ、２０５ｉ、２０５ｊおよび２０５ｋ（図１５参照）のそれぞれが設けられ、雨のしずくの誘導や各親骨の先端の危険の緩和の役割を果たしている。
【０１１９】
親骨２０４ａ〜２０４ｋのそれぞれの先端に設けられた露先２０５ａ〜２０５ｋのそれぞれは、糸２０７によって隣接する露先と接続される。すなわち、隣接する露先どうしを接続する糸２０７の長さを調節することによって、隣接する露先どうしの距離を調節し、その露先が設けられた親骨の形状（湾曲の程度）を調整することができる。
【０１２０】
また、図１４に示すように、傘２０１では、親骨２０４ａ〜２０４ｋの上には、生地２０６が張られ、雨よけ、日よけの役割を果たしている。この生地２０６によって親骨の形状（湾曲の程度）を調整することもできる。
【０１２１】
この傘２０１では、親骨の数を１１本にし、貝殻のような形状をより細かく表現している。
【０１２２】
また、たとえば親骨２０４ｅや親骨２０４ｈを可撓性の小さい（ｓｔｉｆｆ）ものにすることによって、傘２０１を開いたときの、露先２０５ｅから露先２０５ｈまでの長さを長くし、ワイドな形状を実現することもできる。
【０１２３】
図１６は、図１４に示した傘２０１の上ロクロ２０３の部分の側面図であり、見やすさのために、複数の親骨のうちの２本のみを示した図である。
【０１２４】
図１４に示す傘２０１では、図１６に示すように、中棒２０８と石突２０２との間に設けた上ロクロ２０３は、複数の親骨のうち所定の親骨（図１６では親骨２０４ａ）の上ロクロ２０３への接続位置を、他の所定の親骨（図１６では親骨２０４ｆ）の接続位置と上下方向で異ならせるようにしている。
【０１２５】
また、この傘２０１においては、傘２０１を開いたときに、露先方向が上に向く親骨２０４ａと、上ロクロ２０３と、親骨２０４ａにほぼ対向する位置の親骨である親骨２０４ｆとが、ほぼ凹凸のないスムーズなラインを形成するようにしており、たとえば親骨２０４ａと石突２０２とが成す角度をたとえば４５度などの任意の角度にし、上記スムーズなラインによって、傘２０１を開いたときの形状を美しくすることができる。
【０１２６】
次に、本考案のさらに別の実施の形態について説明する。
【０１２７】
図１７は、本考案による傘の第７の実施の形態の外観を示す斜視図である。
【０１２８】
図１８は、図１７に示した傘１１１を手元１１９の方向から見た底面図である。
【０１２９】
本実施の形態の傘１１１は、従来の傘と同様に、中棒１１８の先端に石突１１２が設けられ、中棒１１８の下端には手元１１９が設けられている。
【０１３０】
中棒１１８のうち石突１１２の直下には上ロクロ１１３（図１９に示す）が設けられ、この上ロクロ１１３には親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐ（図１８も参照）が接続されている。中棒１１８には、中棒１１８に沿って移動可能な下ロクロ１２１（図１９に示す）が外挿され、この下ロクロに接続された受骨１２０ａ、１２０ｂ、１２０ｃ、１２０ｄ、１２０ｅ、１２０ｆ、１２０ｇ、１２０ｈ、１２０ｉ、１２０ｊ、１２０ｋ、１２０ｌ、１２０ｍ、１２０ｎ、１２０ｏおよび１２０ｐ（図１８に示す）のそれぞれが親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐのそれぞれを支え、下ロクロを中棒１１８に沿って移動させることによって、傘１１１の開閉が行われる。
【０１３１】
中棒１１８には、さらに上はじき１２２（図１９に示す）が設けられ、傘１１１を開いた状態において、下ロクロ１２１を上はじき１２２で留めて、傘１１１が閉じてしまうのを防止するようにしている。
【０１３２】
親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐのそれぞれには、上ロクロ１１３に接続された端とは別の端に露先１１５ａ、１１５ｂ、１１５ｃ、１１５ｄ、１１５ｅ、１１５ｆ、１１５ｇ、１１５ｈ、１１５ｉ、１１５ｊ、１１５ｋ、１１５ｌ、１１５ｍ、１１５ｎ、１１５ｏおよび１１５ｐ（図１８も参照）のそれぞれが設けられ、雨のしずくの誘導や各親骨の先端の危険の緩和の役割を果たしている。
【０１３３】
親骨１１４ａ〜１１４ｐのそれぞれの先端に設けられた露先１１５ａ〜１１５ｐのそれぞれは、糸１１７によって隣接する露先と接続される。
【０１３４】
また、図１７に示すように、傘１１１では、親骨１１４ａ〜１１４ｐの上には、生地１１６が張られ、雨よけ、日よけの役割を果たしている。
【０１３５】
傘１１１の形状は、糸１１７の張力によって形成するものでもよいし、糸１１７および生地１１６の張力によって形成するものでもよいし、糸１１７を設けずに、生地１１６の張力によって形成するものでもよい。
【０１３６】
本実施の形態の傘１１１は、傘を開いて横から見たときに、親骨の高さが均一ではない点に特徴を有する。この点について、図１９および図２０も参照して詳しく説明する。
【０１３７】
図１９は、図１７に示した傘１１１の側面図であって、親骨の上下の高さの違いが見やすいように、糸１１７および生地１１６や余計な親骨を除いた状態で示す図である。
【０１３８】
図２０は、図１７に示した傘１１１の各親骨の高さをグラフに表した図であり、縦軸は親骨の上下の高さであり、横軸は中棒の軸回りの位置である。
【０１３９】
この傘１１１の場合、図１９に示すように、親骨１１４ｂの高さが最も高く、その高さは図に示すハイポイントであり、親骨１１４ｃの高さがその次に高く、その高さは図に示すミドルポイントであり、親骨１１４ａの高さが最も低く、その高さは図に示すローポイントである。
【０１４０】
このような傘１１１の形状は、図６、図８、図１１、図１２等を参照して上述した技術を用いて実現することができる。
【０１４１】
図１８に示した傘１１１のすべての親骨の高さが、図２０に表されている。
【０１４２】
この図２０では、図１８に示す親骨とその隣の親骨との間の距離Ｄを、横軸の中棒の軸回りの位置として表しており、順々に各親骨の高さを表し、各親骨を生地１１６で繋いでいる。
【０１４３】
このように本実施の形態の傘１１１では、所定の親骨の高さを他の所定の親骨の高さと異ならせるようにしたので、傘の親骨とそれに張られた生地によって、また、親骨の長さ、親骨の可撓性の大きさ等によって、図１７および図１８に示す花びらのような形状を実現することができる。
【０１４４】
なお、この親骨の高さを異ならせる技術を用いれば、様々な形状の傘を提供することができる。親骨の高さのパターンの例を図２１〜図３０に示す。
【０１４５】
図２１、図２５および図３０は親骨の数が１６本の傘の場合の例であり、図２２、図２３、図２６、図２７、図２８および図２９は親骨の数が１２本の傘の場合の例であり、図２４は親骨の数が８本の傘の場合の例である。
【０１４６】
本考案による傘における親骨の高さのパターンは、図示したものに限られるものではなく、如何なる組み合わせであってもかまわない。また、親骨の数も何本であってもかまわない。
【０１４７】
図３１は、本考案による傘の第８の実施の形態を石突の方向から見た平面図である。
【０１４８】
本実施の形態の傘１３１は、従来の傘と同様に、中棒（図示せず）の先端に石突１３２が設けられ、中棒の下端には手元（図示せず）が設けられている。
【０１４９】
中棒のうち石突１３２の直下には上ロクロ１３３が設けられ、この上ロクロ１３３には親骨１３４ａ、１３４ｂ、１３４ｃ、１３４ｄ、１３４ｅ、１３４ｆ、１３４ｇ、１３４ｈ、１３４ｉ、１３４ｊ、１３４ｋ、１３４ｌ、１３４ｍ、１３４ｎ、１３４ｏおよび１３４ｐが接続されている。
【０１５０】
親骨１３４ａ、１３４ｂ、１３４ｃ、１３４ｄ、１３４ｅ、１３４ｆ、１３４ｇ、１３４ｈ、１３４ｉ、１３４ｊ、１３４ｋ、１３４ｌ、１３４ｍ、１３４ｎ、１３４ｏおよび１３４ｐのそれぞれには、上ロクロ１３３に接続された端とは別の端に露先１３５ａ、１３５ｂ、１３５ｃ、１３５ｄ、１３５ｅ、１３５ｆ、１３５ｇ、１３５ｈ、１３５ｉ、１３５ｊ、１３５ｋ、１３５ｌ、１３５ｍ、１３５ｎ、１３５ｏおよび１３５ｐのそれぞれが設けられ、雨のしずくの誘導や各親骨の先端の危険の緩和の役割を果たしている。
【０１５１】
親骨１３４ａ〜１３４ｐのそれぞれの先端に設けられた露先１３５ａ〜１３５ｐのそれぞれは、糸１３７によって隣接する露先と接続される。
【０１５２】
また、傘１３１では、親骨１３４ａ〜１３４ｐの上には、生地１３６が張られ、雨よけ、日よけの役割を果たしている。
【０１５３】
他の構成については、図１７に示した傘１１１と同様であるので、詳しい説明は省略する。
【０１５４】
この図３１に示した傘１３１では、図１８の傘１１１と比較して、糸１３７によって形成される外形が凹凸の少ないものとなっている。このように、本考案による傘では露先やそれに張られる糸や親骨やそれに張られる生地によって様々な形状を作り出すことができる。
【０１５５】
図３２は、本考案による傘の第９の実施の形態の外観を示す斜視図であって傘を開いた状態を示す図である。
【０１５６】
また図３３は、図３２に示す傘１４１の親骨の間に張ってある生地を取り除いて示す斜視図である。
【０１５７】
図３２および図３３に示すように、本実施の形態の傘１４１は、従来の傘と同様に、中棒１４８の先端に石突１４２が設けられ、中棒１４８の下端には手元１４９が設けられている。
【０１５８】
中棒１４８の先端部分の石突１４２の直下には上ロクロ１４３が設けられ、この上ロクロ１４３には親骨１４４ａおよび１４４ｂが接続されている。中棒１４８には、中棒１４８に沿って移動可能な下ロクロ２２１が外挿され、この下ロクロ２２１に接続された受骨２２０ａおよび２２０ｂのそれぞれが親骨１４４ａおよび１４４ｂのそれぞれを支え、下ロクロ２２１を中棒１４８に沿って移動させることによって、傘１４１の開閉が行われる。
【０１５９】
本実施の形態では、５本の親骨１４４ａと５本の親骨１４４ｂとを交互に設け、合計１０本の親骨を有して構成される。親骨１４４ａは親骨１４４ｂよりも長い。また親骨１４４ａに接続される受骨２２０ａは、親骨１４４ｂに接続される受骨２２０ｂよりも長い。
【０１６０】
親骨１４４ａおよび１４４ｂのそれぞれには、上ロクロ１４３に接続された端とは別の端に露先１４５ａおよび１４５ｂのそれぞれが設けられ、雨のしずくの誘導や各親骨の先端の危険の緩和の役割を果たしている。
【０１６１】
親骨１４４ａとその右隣の親骨１４４ｂとの間には生地１４６ａが張られ、親骨１４４ｂとその右隣の親骨１４４ａとの間には生地１４６ｂが張られる。隣接する親骨どうしの間に張られた生地１４６ａおよび１４６ｂの形状や材質を調整することによって、傘１４１を開いたときの、隣接する親骨どうしの距離を調節し、その親骨の形状を調整することができる。
【０１６２】
図３４は、図３２に示す傘１４１の正面図である。
【０１６３】
本実施の形態の傘１４１では、傘１４１を閉じたときに受骨２２０ａおよび２２０ｂの両方が中棒１４８とほぼ平行になり、この状態で、長い親骨１４４ａには長い受骨２２０ａが接続され、短い親骨１４４ｂには短い受骨２２０ｂが接続されるので、傘１４１を開くと、図３４に示すように横から見たときに、長い親骨１４４ａは長い受骨２２０ａによってより高く持ち上げられ、短い親骨１４４ｂは短い受骨２２０ｂによってより低く持ち上げられ、これによって生地１４６ａおよび１４６ｂの凹凸形状が形成される。
【０１６４】
図３５は、図３２に示す傘１４１の平面図である。
【０１６５】
また、図３６は、図３２に示す傘１４１の生地を示す平面図であって、（ａ）は生地１４６ａの平面図であり、（ｂ）は生地１４６ｂの平面図である。
【０１６６】
本実施の形態の傘１４１は、親骨どうしの間に設ける生地に特徴を有する。
【０１６７】
図３６（ａ）に示す生地１４６ａは、親骨１４４ａとその右隣の親骨１４４ｂとの間に張られる。このとき、生地１４６ａの点Ａと点Ｂとの間の辺は親骨１４４ａの位置に配置され、生地１４６ａの点Ａと点Ｃとの間の辺は親骨１４４ｂの位置に配置される。
【０１６８】
また、図３６（ｂ）に示す生地１４６ｂは、親骨１４４ｂとその右隣の親骨１４４ａとの間に張られる。このとき、生地１４６ｂの点Ａ’と点Ｃ’との間の辺は親骨１４４ｂの位置に配置され、生地１４６ｂの点Ａ’と点Ｂ’との間の辺は親骨１４４ａの位置に配置される。
【０１６９】
生地１４６ａは、図３６（ａ）に示すＸ軸方向（生地１４６ａの点Ａと点Ｃとの間の辺と平行な方向）には伸縮せず、図３６（ａ）に示すＹ軸方向（生地１４６ａの点Ａと点Ｃとの間の辺と垂直な方向）には伸縮可能な素材を用いている。生地１４６ａは、Ｙ軸方向のみならず、生地１４６ａの点Ａと点Ｃとの間の辺と平行以外のいずれかの方向に、伸縮可能なものであってもよい。本実施の形態では、点Ｃと点Ｂとは、Ｘ軸方向において距離Ｄだけ離間している。
【０１７０】
また、生地１４６ａは、親骨１４４ａと親骨１４４ｂとの間に張られたとき、親骨１４４ａや親骨１４４ｂの長さ方向には伸縮せず、親骨１４４ａや親骨１４４ｂの長さ方向以外の方向には伸縮可能なものであってもよい。
【０１７１】
生地１４６ｂも同様に、図３６（ｂ）に示すＸ軸方向（生地１４６ｂの点Ａ’と点Ｃ’との間の辺と平行な方向）には伸縮せず、図３６（ｂ）に示すＹ軸方向（生地１４６ｂの点Ａ’と点Ｃ’との間の辺と垂直な方向）には伸縮可能な素材を用いている。生地１４６ｂは、Ｙ軸方向のみならず、生地１４６ｂの点Ａ’と点Ｃ’との間の辺と平行以外のいずれかの方向に、伸縮可能なものであってもよい。本実施の形態では、点Ｃ’と点Ｂ’とは、Ｘ軸方向において距離Ｄ’だけ離間している。
【０１７２】
また、生地１４６ｂは、親骨１４４ａと親骨１４４ｂとの間に張られたとき、親骨１４４ａや親骨１４４ｂの長さ方向には伸縮せず、親骨１４４ａや親骨１４４ｂの長さ方向以外の方向には伸縮可能なものであってもよい。
【０１７３】
生地１４６ａや生地１４６ｂの材質は、ポリエステルやナイロン等を用いてもよく、裁断の向きにより、バイアス裁断などを行うことによって、生地の伸縮しやすさ、伸縮しにくさを規定することができる。
【０１７４】
本実施の形態では、このような生地１４６ａおよび１４６ｂを、親骨１４４ａと親骨１４４ｂとの間に張ることによって、傘１４１を開いたときに、図３２や図３４等に示すような美しい形状とすることができる。
【０１７５】
ところで、上述の各実施の形態では本考案の特徴をそれぞれ説明したが、上述の各実施の形態の特徴部分を取りだし、必要に応じてそれぞれを組み合わせたものも、本考案であることはいうまでもない。
【０１７６】
また、上述の各実施の形態において、親骨の長さ、親骨どうしが成す角度、親骨の湾曲の向き、親骨の湾曲の度合いなどの各変位量は、傘骨構造によって形成される形状をどのようなものにしたいか、その要望に応じて調整することができ、どのような値であってもかまわない。
【０１７７】
また、本考案は、上述したように傘骨構造によって実現されるものであるため、たとえば傘の中棒の有無は本考案の実現、実施に影響を与えるものではない。すなわち、本考案はいわゆる傘に限られるものではなく、傘骨を有するすべてのものに適用することができ、たとえば、建物（特に美的な外観によって集客力の向上が期待できるアパレル店舗やレストラン、カフェ等）や、ベビーカーやそのほか乗り物の日よけ部分、雨よけ部分にも適用することができるし、ビーチパラソル、ビーチアンブレラ、電燈の傘（ランプシェイド）といったものにも適用することができる。また、蚊帳や、食器等にハエなどの虫が集るのを防ぐための虫よけ傘などにも適用することができる。
【０１７８】
また本考案の傘骨構造は、たとえば犬や猫など動物用の傘にも適用することができるし、パラボラアンテナの形状を本考案によって実現される形状にしてもよいし、扇子や団扇の形状を本考案によって実現される形状にしてもよい。
【０１７９】
さらに、本考案の傘骨構造によれば、メイプルリーフなど植物の葉の形も実現することができ、美的に優れた形状を提供することができる。
【０１８０】
また、傘の場合には開閉動作を伴うが、本考案による傘骨構造は、必ずしも開閉動作を必要とせず、常時、開状態のようなものにも適用可能である。
【０１８１】
本考案の傘骨構造によれば、上述したようにファッション性に富んだ様々な形状の傘骨構造を提供することができる。その形状としては、たとえば傘の親骨とそれに張られた生地によって貝殻の形状を提供することや、そのほか、メイプルリーフなどの葉の形、花の形、雪の結晶など、様々な幾何学的模様を提供することができる。
【０１８２】
以上説明したように、本考案によれば、傘に無理な負担をかけない構造で、ファッション的に優れた外観を有し、消費者に対して購買意欲をわかせて産業の発達に寄与することができる傘を提供することができる。
【０１８３】
すなわち本考案によれば、傘の露先どうしを糸で結んで各親骨によって形成される形状を定めるようにしたので、任意の形状を容易に実現することができる。
【０１８４】
また複数の親骨で形成される傘骨構造において、前記複数の親骨に生地を張り、該親骨に張った生地によって形状を変化させるようにしたので、任意の形状を容易に実現することができる。
【０１８５】
また傘の隣り合う親骨どうしがなす角の角度を、所定の親骨において異ならせるようにしたので、傘の親骨とそれに張られた生地によって様々な形状たとえば貝殻の形状を実現することができるという効果がある。また、従来の傘の親骨のうちの何本かを取り除くようにすれば、容易に、傘の隣り合う親骨どうしがなす角の角度を、所定の親骨において異なるという構造を実現することができる。
【０１８６】
また本考案によれば、複数の親骨のうちの所定の親骨の長さを他の所定の親骨の長さと異ならせるようにしたので、傘の親骨とそれに張られた生地によって様々な形状たとえば貝殻の形状を実現することができるという効果がある。
【０１８７】
また本考案によれば、親骨に接続された受骨のうち所定の受骨の長さを変化させることができるようにしたので、傘に無理な力がかからず、傘の破損を防ぐことができる。
【０１８８】
また本考案によれば、親骨の長さに応じてその親骨に接続された受骨の長さを変化させることができるようにしたので、傘に無理な力がかからず、傘の破損を防ぐことができる。
【０１８９】
また本考案によれば、所定の受骨をスライド可能な中子式にしたので、傘の開閉の状態に応じてその受骨の長さが変化し、傘に無理な力がかからず、傘の破損を防ぐことができる。
【０１９０】
また本考案によれば、上ロクロに親骨が接続された位置において、所定の親骨の可動範囲を広げ、また、下ロクロに受骨が接続された位置において、所定の受骨の可動範囲を広げるようにしたので、傘に無理な力がかからず、傘の破損を防ぐことができ、傘の開閉操作をスムーズに行うことができ、また親骨によって所望の形状を作り出すことができる。また、従来の傘の上ロクロや下ロクロの所定個所をカットするようにすれば、容易に、各骨の可動範囲を広げることができる。
【０１９１】
また本考案によれば、親骨に接続された受骨の長さを異ならせ、また、それに応じて親骨と受骨との接続位置を調節するようにしたので、傘に無理な力がかからず、傘の破損を防ぐことができ、親骨によって所望の形状を作り出すことができる。
【０１９２】
また本考案によれば、親骨の長さに応じてその親骨に接続された受骨の長さも異ならせ、また、それに応じて親骨と受骨との接続位置を調節するようにしたので、傘に無理な力がかからず、傘の破損を防ぐことができ、親骨によって所望の形状を作り出すことができる。
【０１９３】
また本考案によれば、複数の親骨が一端を上ロクロに接続される際、複数の親骨のうちの所定の親骨が上ロクロの中心以外を向いて接続されるようにしたので、親骨によって所望の形状を作り出すことができる。
【０１９４】
また本考案によれば、複数の受骨が一端を下ロクロに接続される際、複数の受骨のうちの所定の受骨が下ロクロの中心以外を向いて接続されるようにしたので、親骨によって所望の形状を作り出すことができる。
【０１９５】
また本考案によれば、複数の親骨が一端を上ロクロに接続され、複数の親骨のうち所定の親骨の上ロクロへの接続位置が、他の所定の親骨の接続位置と上下方向で異なるようにしたので、親骨によって所望の形状を作り出すことができる。
【０１９６】
また本考案によれば、複数の親骨が一端を上ロクロに接続され、複数の親骨の他端を上げて開いたときに親骨のうちの所定の親骨を支持するツバ部を前記上ロクロに備えたので、傘に無理な力がかからず、傘の破損を防ぐことができ、親骨によって所望の形状を作り出すことができる。
【０１９７】
また本考案によれば、前記複数の親骨に生地を張って成るようにしたので、親骨に張った生地によって所望の形状を作り出すことができる。
【０１９８】
また本考案によれば、複数の親骨のうちの所定の親骨が、傘の開閉動作の際にその親骨が移動する方向とは異なる方向に、傘を開いたときに湾曲するようにしたので、親骨によって所望の形状を作り出すことができる。
【０１９９】
また本考案によれば、複数の親骨のうちの所定の親骨の可撓性の大きさが他の所定の親骨の可撓性の大きさと異なるようにしたので、親骨によって所望の形状を作り出すことができる。
【０２００】
また本考案によれば、傘を開いて横から見たときに、記複数の親骨のうちの所定の親骨の高さが他の所定の親骨の高さと異なるようにしたので、親骨によって所望の形状を作り出すことができる。
【産業上の利用可能性】
【０２０１】
上述した考案の実施の形態は、傘の外観形状に対して美的向上を実現するものであるが、本考案はこれに限られるものではなく、たとえば、雨傘や日傘に限らず、建物（特に美的な外観によって集客力の向上が期待できるアパレル店舗やレストラン、カフェ等）や、ベビーカーやそのほか乗り物の日よけ部分、雨よけ部分にも適用することができるし、ビーチパラソル、ビーチアンブレラ、電燈の傘（ランプシェイド）といったものにも適用することができる。また、蚊帳や、食器等にハエなどの虫が集るのを防ぐための虫よけ傘などにも適用することができる。
【０２０２】
また本考案の傘骨構造は、たとえば犬や猫など動物用の傘にも適用することができるし、パラボラアンテナの形状を本考案によって実現される形状にしてもよいし、扇子や団扇の形状を本考案によって実現される形状にしてもよい。
【０２０３】
さらに、本考案の傘骨構造によれば、メイプルリーフなど植物の葉の形も実現することができ、美的に優れた形状を提供することができる。
【０２０４】
また、傘の場合には開閉動作を伴なうが、本考案による傘骨構造は、必ずしも開閉動作を必要とせず、常時、開状態のようなものにも適用可能である。
【０２０５】
本考案によれば、上述のような美的形状を提供することができるので、購買意欲の向上、集客力の向上等が期待でき、産業の発達に寄与することができる。
【０２０６】
上述した考案の実施の形態は、傘の外観形状に対して美的向上を実現するものであるが、本考案はこれに限られるものではなく、たとえば、雨傘や日傘に限らず、建物（特に美的な外観によって集客力の向上が期待できるアパレル店舗やレストラン、カフェ等）や、ベビーカーやそのほか乗り物の日よけ部分、雨よけ部分にも適用することができるし、ビーチパラソル、ビーチアンブレラ電燈の傘（ランプシェイド）といったものにも適用することができる。また、蚊帳や、食器等にハエなどの虫が集るのを防ぐための虫よけ傘などにも適用することができる。
【符号の説明】
【０２０７】
１、１１、３１、５１、１４１  傘
２、１２、３２、５２、７２、７６、８０、９２、１４２  石突
３、１３、３３、７３、７７、８１、９３、１４３  上ロクロ
４ａ〜４ｇ、１４ａ〜１４ｇ、３４ａ〜３４ｇ、５４ａ〜５４ｇ、７４、７８、８２、９４ａ〜９４ｇ、１４４ａ、１４４ｂ  親骨
５ａ〜５ｇ、１５ａ〜１５ｇ、３５ａ〜３５ｇ、５５ａ〜５５ｅ、１４５ａ、１４５ｂ  露先
６、５６、１４６ａ、１４６ｂ  生地
７、１７、３７、５７  糸
８、１８、３８、５８、６８、７５、７９、８３、９８、１４８  中棒
９、１９、３９、５９、１４９  手元
２０ａ〜２０ｇ、４０ａ〜４０ｇ、６０ａ〜６０ｇ、２２０ａ、２２０ｂ  受骨
２１、４１、６１、２２１  下ロクロ
２２、４２  上はじき
２３ｄ  中子
９５  ツバ部
【図１】
0003165972.tif 000003
【図２】
0003165972.tif 000004
【図３】
0003165972.tif 000005
【図４】
0003165972.tif 000006
【図５】
0003165972.tif 000007
【図６】
0003165972.tif 000008
【図７】
0003165972.tif 000009
【図８】
0003165972.tif 000010
【図９】
0003165972.tif 000011
【図１０】
0003165972.tif 000012
【図１１】
0003165972.tif 000013
【図１２】
0003165972.tif 000014
【図１３】
0003165972.tif 000015
【図１４】
0003165972.tif 000016
【図１５】
0003165972.tif 000017
【図１６】
0003165972.tif 000018
【図１７】
0003165972.tif 000019
【図１８】
0003165972.tif 000020
【図１９】
0003165972.tif 000021
【図２０】
0003165972.tif 000022
【図２１】
0003165972.tif 000023
【図２２】
0003165972.tif 000024
【図２３】
0003165972.tif 000025
【図２４】
0003165972.tif 000026
【図２５】
0003165972.tif 000027
【図２６】
0003165972.tif 000028
【図２７】
0003165972.tif 000029
【図２８】
0003165972.tif 000030
【図２９】
0003165972.tif 000031
【図３０】
0003165972.tif 000032
【図３１】
0003165972.tif 000033
【図３２】
0003165972.tif 000034
【図３３】
0003165972.tif 000035
【図３４】
0003165972.tif 000036
【図３５】
0003165972.tif 000037
【図３６】
0003165972.tif 000038